(57)【特許請求の範囲】
【請求項１】
第１のネットワークに接続された、第１の利用者が利用する第１の端末、前記第１の端末が、前記第１のネットワークと外部ネットワークを仲介する仲介サーバを介して通信する、第２のネットワークに接続された、第２の利用者が利用する第２の端末、および前記第２の端末へ接続するための情報を、前記第１の端末に提供する処理サーバから構成される情報処理システムにおいて、
前記第１の端末は、
前記第２の利用者に固有の情報および通信開始要求を、前記処理サーバに送信する第１の送信手段と、
前記処理サーバから送信されてきた、前記第２の利用者に固有の情報に対応する前記仲介サーバのアドレス情報を受信する受信手段と、
前記受信手段により受信された前記アドレス情報が示す前記仲介サーバに、前記第２の端末との通信を要求する要求手段と、
前記要求手段による要求に対する前記仲介サーバの処理に基づく前記第２の端末からの通信応答に応じて前記第２の端末との通信を開始する通信手段と
を備え、
前記処理サーバは、
前記第２の利用者に固有の情報と前記仲介サーバのアドレス情報とを対応付けて保持する保持手段と、
前記第１の端末の前記第１の送信手段により送信された前記第２の利用者に固有の情報に対応して、前記仲介サーバのアドレス情報を、前記保持手段から読み出す読み出し手
段と、
前記読み出し手段により読み出された前記仲介サーバのアドレス情報を前記第１の端末に送信する第２の送信手段と
を備えることを特徴とする情報処理システム。
【請求項２】
第１のネットワークと外部ネットワークを仲介する仲介サーバを介して通信する、第２のネットワークに接続された、所定の利用者が利用する端末と通信する、前記第１のネットワークに接続される情報処理装置において、
前記利用者に固有の情報および通信開始要求を、前記処理サーバに送信する送信手段と、
前記処理サーバから送信されてきた、前記利用者に固有の情報に対応する前記仲介サーバのアドレス情報を受信する受信手段と、
前記受信手段により受信された前記アドレス情報が示す前記仲介サーバに、前記端末との通信を要求する要求手段と、
前記要求手段による要求に対する前記仲介サーバの処理に基づく前記端末からの通信応答に応じて前記端末との通信を開始する通信手段と
を備えることを特徴とする情報処理装置。
【請求項３】
前記要求手段は、前記端末の呼出要求、前記端末の前記利用者に固有の情報、および前記情報処理装置の利用者に固有の情報を、前記仲介サーバに送信する
ことを特徴とする請求項２に記載の情報処理装置。
【請求項４】
第１のネットワークと外部ネットワークを仲介する仲介サーバを介して通信する、第２のネットワークに接続された、所定の利用者が利用する端末と通信する、前記第１のネットワークに接続される情報処理装置の情報処理方法において、
前記利用者に固有の情報および通信開始要求を、前記処理サーバに送信する送信ステップと、
前記処理サーバから送信されてきた、前記利用者に固有の情報に対応する前記仲介サーバのアドレス情報を受信する受信ステップと、
前記受信ステップの処理で受信された前記アドレス情報が示す前記仲介サーバに、前記端末との通信を要求する要求ステップと、
前記要求ステップでの要求に対する前記仲介サーバの処理に基づく前記端末からの通信応答に応じて前記端末との通信を開始する通信ステップと
を含むことを特徴とする情報処理方法。
【請求項５】
第１のネットワークと外部ネットワークを仲介する仲介サーバを介して通信する、第２のネットワークに接続された、所定の利用者が利用する端末と通信する、前記第１のネットワークに接続される情報処理装置を制御するプロセッサに実行させるプログラムにおいて、
前記利用者に固有の情報および通信開始要求を、前記処理サーバに送信する送信ステップと、
前記処理サーバから送信されてきた、前記利用者に固有の情報に対応する前記仲介サーバのアドレス情報を受信する受信ステップと、
前記受信ステップの処理で受信された前記アドレス情報が示す前記仲介サーバに、前記端末との通信を要求する要求ステップと、
前記要求ステップでの要求に対する前記仲介サーバの処理に基づく前記端末からの通信応答に応じて前記端末との通信を開始する通信ステップと
を含むことを特徴とするプログラムを記録したコンピュータ読み取り可能な記録媒体。
【請求項６】
第１のネットワークに接続された、第１の利用者が利用する第１の端末が、前記第１のネットワークと外部ネットワークを仲介する仲介サーバを介して、第２のネットワークに接続された、第２の利用者が利用する第２の端末へ接続するための情報を、前記第１の端末に提供する情報処理装置において、
前記第２の利用者に固有の情報と前記仲介サーバのアドレス情報とを対応付けて保持する保持手段と、
前記第１の端末から送信された前記第２の利用者に固有の情報に対応して、前記仲介サーバのアドレス情報を、前記保持手段から読み出す読み出し手段と、
前記読み出し手段により読み出された前記仲介サーバのアドレス情報を前記第１の端末に送信する送信手段と
を備えることを特徴とする情報処理装置。
【請求項７】
第１のネットワークに接続された、第１の利用者が利用する第１の端末が、前記第１のネットワークと外部ネットワークを仲介する仲介サーバを介して、第２のネットワークに接続された、第２の利用者が利用する第２の端末へ接続するための情報を、前記第１の端末に提供する情報処理装置の情報処理方法において、
前記第２の利用者に固有の情報と前記仲介サーバのアドレス情報とを対応付けて保持する保持ステップと、
前記第１の端末から送信された前記第２の利用者に固有の情報に対応して、前記仲介サーバのアドレス情報を、前記保持ステップの処理で保持された情報から読み出す読み出しステップと、
前記読み出しステップの処理で読み出された前記仲介サーバのアドレス情報を前記第１の端末に送信する送信ステップと
を含むことを特徴とする情報処理方法。
【請求項８】
第１のネットワークに接続された、第１の利用者が利用する第１の端末が、前記第１のネットワークと外部ネットワークを仲介する仲介サーバを介して、第２のネットワークに接続された、第２の利用者が利用する第２の端末へ接続するための情報を、前記第１の端末に提供する情報処理装置を制御するプロセッサに実行させるプログラムにおいて、
前記第２の利用者に固有の情報と前記仲介サーバのアドレス情報とを対応付けて保持する保持ステップと、
前記第１の端末から送信された前記第２の利用者に固有の情報に対応して、前記仲介サーバのアドレス情報を、前記保持ステップの処理で保持された情報から読み出す読み出しステップと、
前記読み出しステップの処理で読み出された前記仲介サーバのアドレス情報を前記第１の端末に送信する送信ステップと
を含むことを特徴とするプログラムを記録したコンピュータ読み取り可能な記録媒体。
【請求項９】
第１の利用者が利用する第１の端末、前記第１の端末を第１のネットワークに接続させる親機、前記第１の端末が、前記第１のネットワークと外部ネットワークを仲介する仲介サーバを介して通信する、第２のネットワークに接続された、第２の利用者が利用する第２の端末、および前記第２の端末へ接続するための情報を、前記第１の端末に提供する処理サーバから構成される情報処理システムにおいて、
前記第１の端末は、
前記第２の利用者に固有の情報および通信開始要求を、前記親機に送信する第１の送信手段と、
前記第２の端末からの通信応答に応じて、前記第２の端末との通信を開始する通信手段と
を備え、
前記親機は、
前記第１の端末の前記第１の送信手段により送信された前記第２の利用者に固有の情報および前記通信開始要求を、前記処理サーバに転送する転送手段と、
前記処理サーバから送信されてきた、前記第２の利用者に固有の情報に対応する前記仲介サーバのアドレス情報を受信する受信手段と、
前記受信手段により受信された前記アドレス情報が示す前記仲介サーバに、前記第２の端末との通信を要求する要求手段と
を備え、
前記処理サーバは、
前記第２の利用者に固有の情報と前記仲介サーバのアドレス情報とを対応付けて保持する保持手段と、
前記親機の前記転送手段により転送された前記第２の利用者に固有の情報に対応して、前記仲介サーバのアドレス情報を、前記保持手段から読み出す読み出し手段と、
前記読み出し手段により読み出された前記仲介サーバのアドレス情報を前記親機に送信する第２の送信手段と
を備えることを特徴とする情報処理システム。
【請求項１０】
第１の利用者が利用する第１の端末を第１のネットワークに接続させる情報処理装置において、
前記第１の端末から送信された、前記第１の端末が、前記第１のネットワークと外部ネットワークを仲介する仲介サーバを介して通信する、第２のネットワークに接続された、第２の端末の第２の利用者に固有の情報、および通信開始要求を、前記処理サーバに転送する転送手段と、
前記処理サーバから送信されてきた、前記第２の利用者に固有の情報に対応する前記仲介サーバのアドレス情報を受信する受信手段と、
前記受信手段により受信された前記アドレス情報が示す前記仲介サーバに、前記第２の端末との通信を要求する要求手段と
を備えることを特徴とする情報処理装置。
【請求項１１】
第１の利用者が利用する第１の端末を第１のネットワークに接続させる情報処理装置の情報処理方法において、
前記第１の端末から送信された、前記第１の端末が、前記第１のネットワークと外部ネットワークを仲介する仲介サーバを介して通信する、第２のネットワークに接続された、第２の端末の第２の利用者に固有の情報、および通信開始要求を、前記処理サーバに転送する転送ステップと、
前記処理サーバから送信されてきた、前記第２の利用者に固有の情報に対応する前記仲介サーバのアドレス情報を受信する受信ステップと、
前記受信ステップの処理で受信された前記アドレス情報が示す前記仲介サーバに、前記第２の端末との通信を要求する要求ステップと
を含むことを特徴とする情報処理方法。
【請求項１２】
第１の利用者が利用する第１の端末を第１のネットワークに接続させる情報処理装置を制御するプロセッサに実行させるプログラムにおいて、
前記第１の端末から送信された、前記第１の端末が、前記第１のネットワークと外部ネットワークを仲介する仲介サーバを介して通信する、第２のネットワークに接続された、第２の端末の第２の利用者に固有の情報、および通信開始要求を、前記処理サーバに転送する転送ステップと、
前記処理サーバから送信されてきた、前記第２の利用者に固有の情報に対応する前記仲介サーバのアドレス情報を受信する受信ステップと、
前記受信ステップの処理で受信された前記アドレス情報が示す前記仲介サーバに、前記第２の端末との通信を要求する要求ステップと
を含むことを特徴とするプログラムを記録したコンピュータ読み取り可能な記録媒体。
【請求項１３】
親機により第１のネットワークに接続される第１の端末が、前記第１のネットワークと外部ネットワークを仲介する仲介サーバを介して、第２のネットワークに接続された、第２の利用者が利用する第２の端末へ接続するための情報を、前記親機に提供する情報処理装置において、
前記第２の利用者に固有の情報と前記仲介サーバのアドレス情報とを対応付けて保持する保持手段と、
前記第１の端末から送信された前記第２の利用者に固有の情報に対応して、前記仲介サーバのアドレス情報を、前記保持手段から読み出す読み出し手段と、
前記読み出し手段により読み出された前記仲介サーバのアドレス情報を前記親機に送信する送信手段と
を備えることを特徴とする情報処理装置。
【請求項１４】
親機により第１のネットワークに接続される第１の端末が、前記第１のネットワークと外部ネットワークを仲介する仲介サーバを介して、第２のネットワークに接続された、第２の利用者が利用する第２の端末へ接続するための情報を、前記親機に提供する情報処理装置の情報処理方法において、
前記第２の利用者に固有の情報と前記仲介サーバのアドレス情報とを対応付けて保持する保持ステップと、
前記第１の端末から送信された前記第２の利用者に固有の情報に対応して、前記仲介サーバのアドレス情報を、前記保持ステップの処理で保持された情報から読み出す読み出しステップと、
前記読み出しステップの処理で読み出された前記仲介サーバのアドレス情報を前記親機に送信する送信ステップと
を含むことを特徴とする情報処理方法。
【請求項１５】
親機により第１のネットワークに接続される第１の端末が、前記第１のネットワークと外部ネットワークを仲介する仲介サーバを介して、第２のネットワークに接続された、第２の利用者が利用する第２の端末へ接続するための情報を、前記親機に提供する情報処理装置を制御するプロセッサに実行させるプログラムにおいて、
前記第２の利用者に固有の情報と前記仲介サーバのアドレス情報とを対応付けて保持する保持ステップと、
前記第１の端末から送信された前記第２の利用者に固有の情報に対応して、前記仲介サーバのアドレス情報を、前記保持ステップの処理で保持された情報から読み出す読み出しステップと、
前記読み出しステップの処理で読み出された前記仲介サーバのアドレス情報を前記親機に送信する送信ステップと
を含むことを特徴とするプログラムを記録したコンピュータ読み取り可能な記録媒体。
【発明の詳細な説明】
【０００１】
【発明の属する技術分野】
本発明は、情報処理システム、情報処理装置、情報処理方法、および記録媒体に関し、多くのネットワークに相互接続しているサーバと、そのサーバに対応する固有のIDを有する携帯端末を設けることにより、任意の場所で任意のネットワークからサービスを受けられるようにした情報処理システム、情報処理装置、情報処理方法、および記録媒体に関する。
【０００２】
【従来の技術】
ユーザは、既存の各種のネットワークからサービスを受けるために、各ネットワークに対応するハードウエアを用意している。例えば、ユーザは、電話網を利用するためには電話機を、インターネットのサービスを受けるためには、コンピュータを、それぞれ用意する。またユーザは、それぞれのハードウエアの操作の方法が異なるため、それぞれのハードウエアの操作を熟知する必要がある。
【０００３】
【発明が解決しようとする課題】
このように、ユーザは、各ネットワークからサービスを適切に受けるためには、ネットワークごとに、それに対応するハードウエアを用意する必要があるばかりでなく、その操作を熟知しておく必要があり、ユーザに大きな負担がかかってしまう課題がある。
【０００４】
本発明はこのような状況に鑑みてなされたものであり、１つのネットワークに接続する所定のサーバに対応する携帯端末から、その所定のサーバを介して他のネットワークに接続することにより、画一化された操作で、任意のネットワークから任意のサービスを受けることができるようにするものである。
【０００５】
【課題を解決するための手段】
本発明の第１の情報処理システムは、第１の端末は、第２の利用者に固有の情報および通信開始要求を、処理サーバに送信する第１の送信手段と、処理サーバから送信されてきた、第２の利用者に固有の情報に対応する仲介サーバのアドレス情報を受信する受信手段と、受信手段により受信されたアドレス情報が示す仲介サーバに、第２の端末との通信を要求する要求手段と、要求手段による要求に対する仲介サーバの処理に基づく第２の端末からの通信応答に応じて第２の端末との通信を開始する通信手段とを備え、処理サーバは、第２の利用者に固有の情報と仲介サーバのアドレス情報とを対応付けて保持する保持手段と、第１の端末の第１の送信手段により送信された第２の利用者に固有の情報に対応して、仲介サーバのアドレス情報を、保持手段から読み出す読み出し手段と、読み出し手段により読み出された仲介サーバのアドレス情報を第１の端末に送信する第２の送信手段とを備えることを特徴とする。
【０００６】
本発明の第１の情報処理システムにおいては、第１の端末は、第２の利用者に固有の情報および通信開始要求を、処理サーバに送信し、処理サーバから送信されてきた、第２の利用者に固有の情報に対応する仲介サーバのアドレス情報を受信し、受信したアドレス情報が示す仲介サーバに、第２の端末との通信を要求し、その要求に対する仲介サーバの処理に基づく第２の端末からの通信応答に応じて第２の端末との通信を開始し、処理サーバは、第２の利用者に固有の情報と仲介サーバのアドレス情報とを対応付けて保持し、第１の端末より送信された第２の利用者に固有の情報に対応する仲介サーバのアドレス情報を読み出し、読み出した仲介サーバのアドレス情報を第１の端末に送信する。
【０００７】
本発明の第１の情報処理装置は、利用者に固有の情報および通信開始要求を、処理サーバに送信する送信手段と、処理サーバから送信されてきた、利用者に固有の情報に対応する仲介サーバのアドレス情報を受信する受信手段と、受信手段により受信されたアドレス情報が示す仲介サーバに、端末との通信を要求する要求手段と、要求手段による要求に対する仲介サーバの処理に基づく端末からの通信応答に応じて端末との通信を開始する通信手段とを備えることを特徴とする。
【０００８】
要求手段は、端末の呼出要求、端末の利用者に固有の情報、および情報処理装置の利用者に固有の情報を、仲介サーバに送信することができる。
【０００９】
本発明の第１の情報処理方法は、利用者に固有の情報および通信開始要求を、処理サーバに送信する送信ステップと、処理サーバから送信されてきた、利用者に固有の情報に対応する仲介サーバのアドレス情報を受信する受信ステップと、受信ステップの処理で受信されたアドレス情報が示す仲介サーバに、端末との通信を要求する要求ステップと、要求ステップでの要求に対する仲介サーバの処理に基づく端末からの通信応答に応じて端末との通信を開始する通信ステップとを含むことを特徴とする。
【００１０】
本発明の第１の記録媒体のプログラムは、利用者に固有の情報および通信開始要求を、処理サーバに送信する送信ステップと、処理サーバから送信されてきた、利用者に固有の情報に対応する仲介サーバのアドレス情報を受信する受信ステップと、受信ステップの処理で受信されたアドレス情報が示す仲介サーバに、端末との通信を要求する要求ステップと、要求ステップでの要求に対する仲介サーバの処理に基づく端末からの通信応答に応じて端末との通信を開始する通信ステップとを含むことを特徴とする。
【００１１】
本発明の第１の情報処理装置および方法、並びにプログラムにおいては、利用者に固有の情報および通信開始要求が、処理サーバに送信され、処理サーバから送信されてきた、利用者に固有の情報に対応する仲介サーバのアドレス情報が受信され、受信されたアドレス情報が示す仲介サーバに、端末との通信が要求され、要求に対する仲介サーバの処理に基づく端末からの通信応答に応じて端末との通信が開始される。
【００１２】
本発明の第２の情報処理装置は、第２の利用者に固有の情報と仲介サーバのアドレス情報とを対応付けて保持する保持手段と、第１の端末から送信された第２の利用者に固有の情報に対応して、仲介サーバのアドレス情報を、保持手段から読み出す読み出し手段と、
読み出し手段により読み出された仲介サーバのアドレス情報を第１の端末に送信する送信手段とを備えることを特徴とする。
【００１３】
本発明の第２の情報処理方法は、第２の利用者に固有の情報と仲介サーバのアドレス情報とを対応付けて保持する保持ステップと、第１の端末から送信された第２の利用者に固有の情報に対応して、仲介サーバのアドレス情報を、保持ステップで保持された情報から読み出す読み出しステップと、読み出しステップにより読み出された仲介サーバのアドレス情報を第１の端末に送信する送信ステップとを含むことを特徴とする。
【００１４】
本発明の第２の記録媒体のプログラムは、第２の利用者に固有の情報と仲介サーバのアドレス情報とを対応付けて保持する保持ステップと、第１の端末から送信された第２の利用者に固有の情報に対応して、仲介サーバのアドレス情報を、保持ステップの処理で保持された情報から読み出す読み出しステップと、読み出しステップの処理で読み出された仲介サーバのアドレス情報を第１の端末に送信する送信ステップとを含むことを特徴とする。
【００１５】
本発明の第２の情報処理装置および方法、並びにプログラムにおいては、第２の利用者に固有の情報と仲介サーバのアドレス情報とが対応付けて保持され、第１の端末から送信された第２の利用者に固有の情報に対応した仲介サーバのアドレス情報が読み出され、読み出された仲介サーバのアドレス情報が第１の端末に送信される。
【００１６】
本発明の第２の情報処理システムは、第１の端末は、第２の利用者に固有の情報および通信開始要求を、親機に送信する第１の送信手段と、第２の端末からの通信応答に応じて、第２の端末との通信を開始する通信手段とを備え、親機は、第１の端末の第１の送信手段により送信された第２の利用者に固有の情報および通信開始要求を、処理サーバに転送する転送手段と、処理サーバから送信されてきた、第２の利用者に固有の情報に対応する仲介サーバのアドレス情報を受信する受信手段と、受信手段により受信されたアドレス情報が示す仲介サーバに、第２の端末との通信を要求する要求手段とを備え、処理サーバは、第２の利用者に固有の情報と仲介サーバのアドレス情報とを対応付けて保持する保持手段と、親機の転送手段により転送された第２の利用者に固有の情報に対応して、仲介サーバのアドレス情報を、保持手段から読み出す読み出し手段と、読み出し手段により読み出された仲介サーバのアドレス情報を親機に送信する第２の送信手段とを備えることを特徴とする。
【００１７】
本発明の第２の情報処理システムにおいては、第１の端末は、第２の利用者に固有の情報および通信開始要求を、親機に送信し、第２の端末からの通信応答に応じて、第２の端末との通信を開始し、親機は、第１の端末より送信された第２の利用者に固有の情報および通信開始要求を、処理サーバに転送し、処理サーバから送信されてきた、第２の利用者に固有の情報に対応する仲介サーバのアドレス情報を受信し、受信したアドレス情報が示す仲介サーバに、第２の端末との通信を要求し、処理サーバは、第２の利用者に固有の情報と仲介サーバのアドレス情報とを対応付けて保持し、親機より転送された第２の利用者に固有の情報に対応した仲介サーバのアドレス情報を読み出し、読み出した仲介サーバのアドレス情報を親機に送信する。
【００１８】
本発明の第３の情報処理装置は、第１の端末から送信された、第１の端末が、第１のネットワークと外部ネットワークを仲介する仲介サーバを介して通信する、第２のネットワークに接続された、第２の端末の第２の利用者に固有の情報、および通信開始要求を、処理サーバに転送する転送手段と、処理サーバから送信されてきた、第２の利用者に固有の情報に対応する仲介サーバのアドレス情報を受信する受信手段と、受信手段により受信されたアドレス情報が示す仲介サーバに、第２の端末との通信を要求する要求手段とを備えることを特徴とする。
【００１９】
本発明の第３の情報処理方法は、第１の端末から送信された、第１の端末が、第１のネットワークと外部ネットワークを仲介する仲介サーバを介して通信する、第２のネットワークに接続された、第２の端末の第２の利用者に固有の情報、および通信開始要求を、処理サーバに転送する転送ステップと、処理サーバから送信されてきた、第２の利用者に固有の情報に対応する仲介サーバのアドレス情報を受信する受信ステップと、受信ステップの処理で受信されたアドレス情報が示す仲介サーバに、第２の端末との通信を要求する要求ステップと
を含むことを特徴とする。
【００２０】
本発明の第３の記録媒体のプログラムは、第１の端末から送信された、第１の端末が、第１のネットワークと外部ネットワークを仲介する仲介サーバを介して通信する、第２のネットワークに接続された、第２の端末の第２の利用者に固有の情報、および通信開始要求を、処理サーバに転送する転送ステップと、処理サーバから送信されてきた、第２の利用者に固有の情報に対応する仲介サーバのアドレス情報を受信する受信ステップと、受信ステップの処理で受信されたアドレス情報が示す仲介サーバに、第２の端末との通信を要求する要求ステップと
を含むことを特徴とする。
本発明の第３の情報処理装置および方法、並びにプログラムにおいては、第１の端末から送信された、第１の端末が、第１のネットワークと外部ネットワークを仲介する仲介サーバを介して通信する、第２のネットワークに接続された、第２の端末の第２の利用者に固有の情報、および通信開始要求が、処理サーバに転送され、処理サーバから送信されてきた、第２の利用者に固有の情報に対応する仲介サーバのアドレス情報が受信され、受信されたアドレス情報が示す仲介サーバに、第２の端末との通信が要求される。
本発明の第４の情報処理装置は、第２の利用者に固有の情報と仲介サーバのアドレス情報とを対応付けて保持する保持手段と、第１の端末から送信された第２の利用者に固有の情報に対応して、仲介サーバのアドレス情報を、保持手段から読み出す読み出し手段と、読み出し手段により読み出された仲介サーバのアドレス情報を親機に送信する送信手段とを備えることを特徴とする。
本発明の第４の情報処理方法は、第２の利用者に固有の情報と仲介サーバのアドレス情報とを対応付けて保持する保持ステップと、第１の端末から送信された第２の利用者に固有の情報に対応して、仲介サーバのアドレス情報を、保持ステップの処理で保持された情報から読み出す読み出しステップと、読み出しステップの処理で読み出された仲介サーバのアドレス情報を親機に送信する送信ステップとを含むことを特徴とする。
本発明の第４の記録媒体のプログラムは、第２の利用者に固有の情報と仲介サーバのアドレス情報とを対応付けて保持する保持ステップと、第１の端末から送信された第２の利用者に固有の情報に対応して、仲介サーバのアドレス情報を、保持ステップの処理で保持された情報から読み出す読み出しステップと、読み出しステップの処理で読み出された仲介サーバのアドレス情報を親機に送信する送信ステップとを含むことを特徴とする。
本発明の第４の情報処理装置および方法、並びにプログラムにおいては、第２の利用者に固有の情報と仲介サーバのアドレス情報とが対応付けて保持され、第１の端末から送信された第２の利用者に固有の情報に対応した仲介サーバのアドレス情報が読み出され、読み出された仲介サーバのアドレス情報が親機に送信される。
【００２１】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００２２】
請求項１に記載の情報処理システムは、
第１の端末（例えば、図１０のステップＳ２２およびステップＳ２４の処理を行う図２の端末１２）は、
第２の利用者（例えば、図２のユーザＡ）に固有の情報および通信開始要求を、処理サーバ（例えば、図２のディレクトリサーバ４）に送信する第１の送信手段（例えば、図２の端末１２のＣＰＵ）と、
処理サーバから送信されてきた、第２の利用者に固有の情報に対応する仲介サーバのアドレス情報を受信する受信手段（例えば、図２の端末１２の通信部）、
受信手段により受信されたアドレス情報が示す仲介サーバに、第２の端末との通信を要求する要求手段（例えば、図２の端末１２のＣＰＵ）と、
要求手段による要求に対する仲介サーバの処理に基づく第２の端末からの通信応答に応じて第２の端末との通信を開始する通信手段（例えば、図２の端末１２の通信部）と
を備え、
処理サーバ（例えば、図１０のステップＳ２３およびステップＳ２５の処理を行う図２のディレクトリサーバ４）は、
第２の利用者に固有の情報と仲介サーバのアドレス情報とを対応付けて保持する保持手段（例えば、図６のハードディスク４６）と、
第１の端末の第１の送信手段により送信された第２の利用者に固有の情報に対応して、仲介サーバのアドレス情報を、保持手段から読み出す読み出し手段（例えば、図６のＣＰＵ４１）と、
読み出し手段により読み出された仲介サーバのアドレス情報を第１の端末に送信する第２の送信手段（例えば、図６の通信部４７）と
を備えることを特徴とする。
【００２３】
請求項９に記載の情報処理システムは、
第１の端末（例えば、図８のステップＳ２およびステップＳ４の処理を行う図２の携帯端末１）は、
第２の利用者に固有の情報および通信開始要求を、親機に送信する第１の送信手段（例えば、図４の通信部２３）と、
第２の端末からの通信応答に応じて、第２の端末との通信を開始する通信手段（例えば、図４の通信部２３）と
を備え、
親機（例えば、図８のステップＳ５およびステップＳ７の処理を行う図２の親機２）は、
第１の端末の第１の送信手段により送信された第２の利用者に固有の情報および通信開始要求を、処理サーバに転送する転送手段（例えば、図５の通信部３７）と、
処理サーバから送信されてきた、第２の利用者に固有の情報に対応する仲介サーバのアドレス情報を受信する受信手段（例えば、図５の通信部３７）と、
受信手段により受信されたアドレス情報が示す仲介サーバに、第２の端末との通信を要求する要求手段（例えば、図５のＣＰＵ３１）と
を備え、
処理サーバ（例えば、図８のステップＳ６およびステップＳ８の処理を行う図２のディレクトリサーバ４）は、
第２の利用者に固有の情報と仲介サーバのアドレス情報とを対応付けて保持する保持手段（例えば、図６のハードディスク４６）と、
親機の転送手段により転送された第２の利用者に固有の情報に対応して、仲介サーバのアドレス情報を、保持手段から読み出す読み出し手段（例えば、図６のＣＰＵ４１）と、
読み出し手段により読み出された仲介サーバのアドレス情報を親機に送信する第２の送信手段（例えば、図６の通信部４７）と
を備えることを特徴とする。
【００２６】
図１は、本発明を適用した情報処理システムのネットワークの接続例を示す。
【００２７】
携帯端末１は、親機２と無線で通信し、親機２が接続されているインテリジェントネットワーク３（以下ＩＮ３と略称する）を介して、既存のネットワーク、例えば、電話網５、コンピュータネットワーク６、放送網７、または、ホームネットワーク８にアクセスすることができるようになされている。
【００２８】
ＩＮ３にはデイレクトリサーバ４が接続されており、このデイレクトリサーバ４は、ＩＮ３を介して親機２から、通信先（電話網５、コンピュータネットワーク６、放送網７、ホームネットワーク８、あるいはそれらに接続されている端末）のアドレスに関する問い合わせがあったとき、それを内蔵するデータベースから検索し、親機２に通知するようになされている。すなわち、親機２、ＩＮ３、およびデイレクトリサーバ４により、デイレクトリ情報提供システムが構成されており、携帯端末１はこれを利用することにより、任意の通信先と、簡単に、通信を行うことができるようになされている。
【００２９】
電話網５は、いわゆる電話回線によるネットワークであり、コンピュータネットワーク６は、ローカルネットワークやインターネットをはじめとするコンピュータ端末（図示せず）に対応するネットワークである。放送網７は、地上波や衛星を利用した通信に対応するネットワークであり、ホームネットワーク８は、家庭内で使用される機器に対応するネットワークである。
【００３０】
図２は、携帯端末１のより具体的な通信先の接続例を示している。
【００３１】
この例においては、ＩＮ３の中のローカルネットワーク（図示せず）に、デイレクトリサーバ４の他、プロキシ１１が接続されており、このデイレクトリサーバ４とプロキシ１１は、インターネット１０に接続されている。
【００３２】
デイレクトリ情報提供システムを構成するプロキシ１１は、携帯端末１がインターネット１０を介して行う通信を仲介（代行）する。これにより、携帯端末１は、インターネット１０にアクセスするために必要なTCP/IPスタック、およびアプリケーション機能などを用意する必要がなくなる。
【００３３】
ユーザＢが使用する端末１２は、インターネット１０に接続されているコンピュータである。
【００３４】
図３は、携帯端末１の外観の構成例を表している。入力部２１は、所定の設問に回答するためのYES/NOボタン２１Ａ、所定の手順を選択するための選択ボタン２１Ｂ、所定の手順をキャンセルするためのキャンセルボタン２１Ｃ、および画面上をポインテイングすることにより、所定の入力を行うことができるタブレット２１Ｄから構成されている。
【００３５】
表示部２２は、例えば、ＬＣＤ(Liquid Crystal Display)により構成され、さまざま情報を表示する。アンテナ２３Ａは、親機２と無線で通信するのに用いられている。
【００３６】
図４は、携帯端末１の内部の構成例を表している。通信部２３は、アンテナ２３Ａを介して、親機２に対してデータを送信したり、親機２をから供給されたデータを受信するようになされている。ＣＰＵ２４は、ＲＯＭ２５に記憶されている各種のプログラムに従って、各種の動作を実行するようになされている。ＲＡＭ２６は、ＣＰＵ２４が各種の処理を実行する上において必要な各種のデータを適宜記憶する。
【００３７】
ハードデイスク２７には、所定のデータが記録されている。インタフェース２８は、入力部２１、表示部２２、通信部２３、およびハードデイスク２７とＣＰＵ２４との間の動作をインタフェースするようになされている。
【００３８】
図５は、親機２の構成例を表している。
【００３９】
ＣＰＵ３１は、ＲＯＭ３２に記憶されているプログラムに従って各種の処理を実行するようになされている。ＲＡＭ３３には、ＣＰＵ３１が各種の処理を実行する上において必要なデータなどが適宜記憶される。
【００４０】
入力部３４は、ＣＰＵ３１に所定の指令を入力するとき適宜操作される。表示部３５は、例えば、ＬＣＤ等により構成され、所定の文字、図形、または画像が表示されるようになされている。ハードデイスク３６は、所定のデータを記録し、これを再生することができるようになされている。
【００４１】
通信部３７は、アンテナ３７Ａを介して無線で、またはネットワークを介して有線で、データを送信したり、データを受信するようになされている。インタフェース３８は、入力部３４乃至通信部３７とＣＰＵ３１との間に配置され、インタフェース処理を実行する。
【００４２】
このように、親機２の構成は、図４に示した携帯端末１と基本的に同様の構成を有しているが、その規模、処理性能、および処理速度が異なっている。
【００４３】
図６は、デイレクトリサーバ４の構成例を表している。
【００４４】
ＣＰＵ４１は、ＲＯＭ４２に記憶されているプログラムに従って各種の処理を実行するようになされている。ＲＡＭ４３には、ＣＰＵ４１が各種の処理を実行する上において必要なデータなどが適宜記憶される。
【００４５】
入力部４４は、ＣＰＵ４１に所定の指令を入力するとき適宜操作される。表示部４５は、例えば、ＬＣＤ等により構成され、所定の文字、図形、または画像が表示されるようになされている。ハードデイスク４６は、所定のデータを記録し、これを再生することができるようになされている。
【００４６】
通信部４７は、ネットワークを介してデータを送信したり、データを受信するようになされている。インタフェース４８は、入力部４４乃至通信部４７とＣＰＵ４１との間に配置され、インタフェース処理を実行する。
【００４７】
このように、デイレクトリサーバ４の構成は、図４に示した携帯端末１および図５に示した親機２と基本的に同様の構成を有しているが、その規模、処理性能、および処理速度が異なっている。
【００４８】
図７はプロキシ１１の構成例を表している。そのＣＰＵ５１乃至インタフェース５８は、図６のデイレクトリサーバ４のＣＰＵ４１乃至インタフェース４８と同様に構成されており、その説明は省略する。
【００４９】
また、端末１２の構成は、図４に示した携帯端末１の構成例、図５に示した親機２の構成例、図６に示したデイレクトリサーバ４、または図７のプロキシ１１の構成例と基本的に同様の構成を有しているので、その図示および説明は省略する。
【００５０】
次に、ユーザＡが携帯端末１を操作し、インターネット１０に接続される端末１２を呼び出し、インターネット１０の加入者であるユーザＢと通信を行う場合の動作について説明する。この場合の処理手順は図８に示されている。
【００５１】
ステップＳ１において、ユーザＡは、携帯端末１の入力部２１のタブレット２１Ｄを図示せぬペンで操作し、パスワードなどの所定の情報を入力すると、ステップＳ２において、携帯端末１のＣＰＵ２４は、入力されたデータとハードデイスク２７に格納されているユーザＡを認証するための情報とを照合し、ユーザＡの認証処理を実行する。ユーザＡが認証された場合、または認証されない場合のいずれにおいても、携帯端末１のＣＰＵ２４は、表示部２２に所定の文字列を表示し、その認証処理の結果をユーザＡに通知する。いまの場合、ステップＳ２において、ユーザＡは、ステップＳ１で入力した情報に基づいて、ユーザ認証されたものとする。このことより、ユーザＡは、携帯端末１を使用することができる。
【００５２】
次に、ステップＳ３において、ユーザＡは、ユーザＢのユーザフレンドリな文字列と、端末１２との通信開始要求のための所定の情報を携帯端末１の入力部２１から入力する。ユーザフレンドリな文字列とは、ユーザＡ（人間）がユーザＢを識別する上で容易な文字列（容易に記憶することが可能な文字列）で、例えば名前またはニックネームなどである。ユーザＡは、ユーザＢのユーザフレンドリな文字列を、タブレット２１Ｄから直接入力するか、または、携帯端末１のハードデイスク２７に予め記録させておき、必要な時に呼び出すようにすることもできる。
【００５３】
次に、ステップＳ４において、携帯端末１のＣＰＵ２４は、通信部２３を制御し、アドレス解消要求を、ユーザＡとユーザＢのユーザフレンドリな文字列、ユーザＡのPID(Personal Identification)、および携帯端末１のターミナル番号（ＩＮ３を利用する携帯端末に割り当てられた番号であって、ＩＮ３において固有の番号）を含む付随情報とともに、無線で親機２に送信させる。ユーザＡのユーザフレンドリな文字列、ユーザＡのPID、および携帯端末１のターミナル番号は、携帯端末１のハードデイスク２７に格納されており、ＣＰＵ２４はこれを読み出し、通信開始要求に付随させる。なお、PIDは、ユーザの固有のIDであり、例えば、インターネット１０上のアドレスとしてのURIとすることができる。
【００５４】
また、ユーザフレンドリな文字列を送信するフォーマットとしては、例えば、図９に示すようなＳＴＤ２７等の表示（ＤＩＳＰ）メッセージに準拠したフォーマットとすることができる。
【００５５】
次に、ステップＳ５において、親機２のＣＰＵ３１は通信部３７を制御し、ステップＳ４で携帯端末１より送信されたアドレス解消要求と付随情報を、デイレクトリサーバ４に転送する。ステップＳ６においては、デイレクトリサーバ４のＣＰＵ４１は、転送を受けた情報の中のユーザＢのユーザフレンドリな文字列（例えば、名前）から、それに対応するユーザＢのPID(URI)と、端末１２とインターネット１０との通信を代行するプロキシ１１のＩＮ３に対応するアドレスを、デイレクトリサーバ４のハードデイスク４６に格納されているデータベースから検索し、その検索した情報を、親機２に送信する。
【００５６】
次に、ステップＳ７において、親機２のＣＰＵ３１に制御された通信部３７は、ユーザＡのPID、ユーザＡのユーザフレンドリな文字列、およびユーザＢのPID(URI)に対する発呼要求を、ステップＳ６で検索されたアドレスを有するプロキシ１１に送信する。このとき、ステップＳ８において、プロキシ１１の通信部５７は、ステップＳ７で親機２から送信されてきたユーザＢのPID(URI)に対して、インターネット１０を介して発呼動作を行い、さらに、ユーザＡのPID（URI）と、ユーザＡのユーザフレンドリな文字列を送信する。
【００５７】
次に、ステップＳ９において、端末１２の表示部は、例えば、ユーザＡのユーザフレンドリな文字列（名前）を表示し、ユーザＡからの通信開始要求をユーザＢに通知する。これにより、ユーザＢは、ユーザＡからの呼び出しであることを知ることができる。さらに、ステップＳ１０において、ユーザＢは、端末１２の入力部を操作し、ユーザＡからの通信開始要求に応答する処理を実行することにより、携帯端末１との通信を開始することができる。
【００５８】
以上のようにして、ユーザＡは、親機２、ＩＮ３、およびデイレクトリサーバ４からなるデイレクトリ情報提供システムを利用することで、ユーザＢのPIDを知らなくても、その名前を入力するだけで、ユーザＢにアクセスすることができる。また、ユーザＢも、このデイレクトリ情報提供システムを介してアクセスを受けることにより、アクセスしてきたユーザＡの名前を知ることができる。
【００５９】
上述の動作の説明は、ユーザＡが携帯端末１を操作し、インターネット１０の加入者であるユーザＢが使用する端末１２を呼出し、ユーザＢと通信を開始する場合の手順の説明であったが、次に、ユーザＢが端末１２を操作し、携帯端末１を呼出し、ユーザＡと通信を開始する場合の処理手順を、図１０を参照して、説明する。
【００６０】
始めに、ステップＳ２１において、ユーザＢは、所定の手順に基づいて端末１２を操作し、インターネット１０を介して通信を行うためのプログラムを起動し、ユーザＡのユーザフレンドリな文字列と、携帯端末１との通信開始要求のための所定の情報を端末１２の入力部から入力する。
【００６１】
インターネット１０において、ユーザフレンドリな文字列をユーザのアドレスに使用することは、従来より行われているが、その文字列はインターネット１０のシステムであまり使用されていない文字列（ユニークな文字列）である必要がある。しかしながら、いまの場合、ユーザＡのユーザフレンドリな文字列は、インターネット１０と独立したデイレクトリサーバ４に管理されているので、インターネット１０からユニーク性の制限を受けない。
【００６２】
次に、ステップＳ２２において、端末１２のＣＰＵは、その通信部を制御し、ユーザＡに対する通信開始要求を、ユーザＢとユーザＡのユーザフレンドリな文字列、およびユーザＢのPIDを含む付随情報を付随させて、インターネット１０を介してデイレクトリサーバ４に送信する。
【００６３】
ステップＳ２３において、デイレクトリサーバ４のＣＰＵ４１は、端末１２から送信されたユーザＡのユーザフレンドリな文字列に基づいて、ハードデイスク４６に記録されているデータベースから、ユーザＡのPIDおよび携帯端末１のターミナル番号を検索し、さらに、その情報に基づいて、携帯端末１に対応する親機２と通信するためのプロキシ１１のインターネット１０上のアドレスを検索し、端末１２に送信する。
【００６４】
ステップＳ２４において、端末１２のＣＰＵは通信部を制御し、携帯端末１の呼出要求を、ユーザＡのPID、携帯端末１のターミナル番号、ユーザＢのユーザフレンドリな文字列、およびユーザＢのPIDを含む付随情報を付随させて、ステップＳ２３で検索されたアドレスを有するプロキシ１１に送信させる。
【００６５】
次に、ステップＳ２５において、プロキシ１１のＣＰＵ５１は、ハードデイスク５６のデータベースから、ユーザＡのPIDに対応する親機２のアドレスを検索し、通信部５７を制御して、ＩＮ３を介して、親機２に指定されたターミナル番号を有する、ユーザＡの携帯端末１への発呼要求を送信させる。このとき、ユーザＢのPIDとユーザフレンドリな文字列が付随される。ステップＳ２６において、親機２のＣＰＵ３１は通信部３７を制御し、携帯端末１をページングするとともに、ステップＳ２５でプロキシ１１から送信された付随情報を携帯端末１に転送する。
【００６６】
次に、ステップＳ２７において、ユーザＡを呼び出すために、いまの場合、携帯端末１のＣＰＵ２４は、表示部２２にユーザＢのユーザフレンドリな文字列を表示し、ユーザＢからの通信開始要求を通知する。
【００６７】
ステップＳ２８において、ユーザＡは、携帯端末１の表示部２２を参照することにより、ユーザＢからの通信開始要求を確認する。そして、ユーザＡは、携帯端末１の入力部２１を操作し、ユーザＢの通信開始要求に応答することにより、携帯端末１と端末１２との通信を開始する。
【００６８】
図１１は、本発明の情報処理システムのさらに他の接続例を示す。なお、図２における場合と対応する部分については、同一の符号を付してあり、以下では、その説明を適宜省略する。
【００６９】
この例においては、ＩＮ３にデータベースサーバ６１、ビデオテープレコーダ６２、およびビデオテープレコーダ６３が接続されている。このデータベースサーバ６１は、ＩＮ３を介して親機２から、操作される機器（ビデオテープレコーダ６２、ビデオテープレコーダ６３）の操作情報に関する問い合わせがあったとき、それを内蔵するデータベースから検索し、親機２に通知するようになされている。データベースサーバ６１は、図６に示したデイレクトリサーバ４の構成例と基本的に同様の構成を有するので、その図示および説明は省略する。ビデオテープレコーダ６２およびビデオテープレコーダ６３は、それぞれ操作方法が異なるビデオテープレコーダで、親機２からＩＮ３を介して送信される所定の情報を、受信する通信部を有する。
【００７０】
次に、家の中で、ユーザが携帯端末１を操作し、ビデオテープレコーダ６２およびビデオテープレコーダ６３を操作する場合の動作について、図１２に示すフローチャートを参照して、説明する。
【００７１】
ステップＳ３１において、図８のステップＳ１とステップＳ２に示された同様の処理が実行され、ユーザ認証処理が行われる。いまの場合、ユーザは、ステップＳ３１でユーザ認証されたとして、ステップＳ３２に進み、そこで、ユーザは、携帯端末１の選択ボタン２１Ｂから使用するビデオテープレコーダ６２またはビデオテープレコーダ６３を選択し、さらに、選択したビデオテープレコーダ６２またはビデオテープレコーダ６３の希望する動作（例えば、再生、録音等）の操作要求のための所定の情報を入力部２１から入力する。いまの場合、ユーザは、ビデオテープレコーダ６２を選択し、再生するものとする。
【００７２】
ステップＳ３３においては、携帯端末１のＣＰＵ２４は通信部２３を制御し、再生操作要求を、ユーザＡのPID、携帯端末１のターミナル番号、および選択されたビデオテープレコーダ６２の識別番号を含む付随情報とともに、無線で親機２に送信させる。ユーザＡのPID、携帯端末１のターミナル番号、および選択されたビデオテープレコーダ６２の識別番号は、携帯端末１のハードデイスク２７に格納されており、ＣＰＵ２４は、これを読み出し、操作要求に付随させる。
【００７３】
次に、ステップＳ３４において、親機２のＣＰＵ３１は通信部３７を制御し、ステップＳ３３で携帯端末１より送信された再生操作要求と付随情報を、データベースサーバ６１に転送する。ステップＳ３５においては、データベースサーバ６１のＣＰＵは、転送を受けた情報の中のから、それに対応する操作情報とビデオテープレコーダ６２のＩＮ３上のアドレスを、ハードデイスクから検索し、その検索した情報を、親機２に送信する。
【００７４】
次に、ステップＳ３６において、親機２のＣＰＵ３１に制御された通信部３７は、ステップＳ３５で検索されたビデオテープレコーダ６２の再生操作情報を、ステップＳ３５で検索されたアドレスに送信する。
【００７５】
次に、ステップＳ３７において、ビデオテープレコーダ６２は、親機２からの再生操作情報を受信し、直ちに、再生を開始する。
【００７６】
上述した処理では、ユーザは、ステップＳ３２において、ビデオテープレコーダ６２を選択したが、ビデオテープレコーダ６３を選択すれば、ステップＳ３３乃至ステップＳ３６で示した処理が実行され、ビデオテープレコーダ６３を操作することができる。つまり、操作方法が異なる２つのビデオテープレコーダを１つの携帯端末で操作できる。
【００７７】
データベースサーバ６１は、デイレクトリサーバ４が有するデイレクトリ情報の他に、機器の操作情報をさらに有することにより、上述した処理を可能とする。さらに、データベースサーバ６１が、図１３に示す本発明の情報処理システムのさらに他の接続例のように、各ユーザ（ユーザＡ１、ユーザＡ２、ユーザＡ３）ごとの操作される機器の操作手順を記録したデータベースを、設けることにより、各ユーザは、自分の操作手順により、機器を操作することができる。
【００７８】
なお、上記したような処理を行うコンピュータプログラムをユーザに伝送する伝送媒体としては、磁気ディスク、CD-ROM、固体メモリなどの記録媒体の他、ネットワーク、衛星などの通信媒体を利用することができる。
【００７９】
【発明の効果】
本発明によれば、ユーザは、任意のネットワークにアクセスすることができる。
【図面の簡単な説明】
【図１】本発明を適用した情報処理システムのネットワークの接続例を示すブロック図である。
【図２】図１の携帯端末１のより具体的な通信先の接続例を示すブロック図である。
【図３】図２の携帯端末１の外部構成を示す図である。
【図４】図２の携帯端末１の内部構成を示すブロック図である。
【図５】図２の親機２の内部構成を示すブロック図である。
【図６】図２のデイレクトリサーバ４の内部構成を示すブロック図である。
【図７】図２のプロキシ１１の内部構成を示すブロック図である。
【図８】図２の接続例の処理手順を説明するフローチャートである。
【図９】文字列情報を送信する際のフォーマットの例を示す図である。
【図１０】図２の接続例の他の処理手順を説明するフローチャートである。
【図１１】本発明の情報処理システムのさらに他の接続例を示すブロック図である。
【図１２】図１１の情報処理システムの処理手順を説明するフローチャートである。
【図１３】本発明の情報処理システムの他の接続例を示すブロック図である。
【符号の説明】
１  携帯端末，  ２  親機，  ３  インテリジェントネットワーク，  ４  デイレクトリサーバ，  ５  電話網，  ６  コンピュータネットワーク，  ７  放送網，  ８  ホームネットワーク，  １０  インターネット，  １１  プロキシ，  １２  端末，  ２１  入力部，  ２２  表示部，  ２３  通信部，  ２４  ＣＰＵ，  ２５  ＲＯＭ，  ２６  ＲＡＭ，  ２７  ハードデイスク，  ２８  インターフェース，  ３１  ＣＰＵ，    ３２  ＲＯＭ，  ３３  ＲＡＭ，  ３４  入力部，  ３５  表示部，  ３６  ハードデイスク，  ３７  通信部，  ３８  インターフェース，  ４１  ＣＰＵ，    ４２  ＲＯＭ，  ４３  ＲＡＭ，４４  入力部，  ４５  表示部，  ４６  ハードデイスク，  ４７  通信部，４８  インターフェース，  ５１  ＣＰＵ，    ５２  ＲＯＭ，  ５３  ＲＡＭ，  ５４  入力部，  ５５  表示部，  ５６  ハードデイスク，  ５７  通信部，  ５８  インターフェース，  ６１  データベースサーバ，  ６２  ビデオテープレコーダ，  ６３  ビデオテープレコーダ
【図１】
0003763197.tif 000002
【図２】
0003763197.tif 000003
【図３】
0003763197.tif 000004
【図４】
0003763197.tif 000005
【図５】
0003763197.tif 000006
【図６】
0003763197.tif 000007
【図７】
0003763197.tif 000008
【図８】
0003763197.tif 000009
【図９】
0003763197.tif 000010
【図１０】
0003763197.tif 000011
【図１１】
0003763197.tif 000012
【図１２】
0003763197.tif 000013
【図１３】
0003763197.tif 000014